(57)【要約】本発明に係るＥＬシートキーパッドは、ＥＬシートの非発光面または全体面にコーティングされ、印刷回路基板またはＥＬシートの接地電極に伝導性テープまたは伝導性ペーストを用いて連結される伝導性物質コーティング層が備わることを特徴とする。本発明によると、ＥＬの適正性テストをする過程で発生する携帯電話の内部回路の損傷を防止でき、外部静電気の衝撃及び電磁波遮蔽機能を有するＥＬシートキーパッドを製造できる。
2007536778.tif 000002
【特許請求の範囲】
【請求項１】
回路及び接地電極が形成された印刷回路基板と、該印刷回路基板に付着されるＥＬシートとを含んで構成されるＥＬシートキーパッドにおいて、
前記ＥＬシートの非発光面または全体面にコーティングされ、伝導性テープまたは伝導性ペーストを用いて前記印刷回路基板の接地電極に連結される伝導性物質層がさらに備わることを特徴とするＥＬシートキーパッド。
【請求項２】
印刷回路基板と、該印刷回路基板に付着され、駆動回路が接地電極に連結されるＥＬシートとを含んで構成されるＥＬシートキーパッドにおいて、
前記ＥＬシートの非発光面または全体面にコーティングされ、伝導性テープまたは伝導性ペーストを用いて前記駆動回路に電源を供給する前面電極に連結される伝導性物質層がさらに備わることを特徴とするＥＬシートキーパッド。
【請求項３】
前記伝導性物質層のパターンは、０．６mm以下の直径を有する空き空間がある網パターンであることを特徴とする請求項１または２に記載のＥＬシートキーパッド。
【発明の詳細な説明】
【技術分野】
【０００１】
本発明は、ＥＬシートキーパッドに関するもので、特に、静電気防止層が形成されたＥＬシートキーパッドに関するものである。
【背景技術】
【０００２】
携帯電話のキーパッドを照明するために、従来の発光ダイオード（Ｌｉｇｈｔ  Ｅｍｉｔｔｉｎｇ  Ｄｉｏｄｅ、以下ＬＥＤという）の代りに、電界発光素子（Ｅｌｅｃｔｒｏ  Ｌｕｍｉｎｅｓｃｅｎｃｅ、以下ＥＬという）を用いる場合、視認性が向上し、電力消耗が低くなり、多様な色相で製造できるという長所がある。
図１は、従来のＥＬシートキーパッドの一例であり、メタルドームまたはポリドームを用いた従来のＥＬシートキーパッドを示す概略図である。
図１に示すように、従来のＥＬシートキーパッドは、両面テープによって接着されたＥＬシート及びメタルドームからなるＥＬドームシートと、印刷回路基板と、ラバーキーパッドとを含んで構成される。
【０００３】
図２は、従来の一般的なＥＬシートキーパッドに用いられるＥＬシートを示す概略図で、図３は、従来の一般的なＥＬシートキーパッドに用いられる印刷回路基板を示す概略図である。
図２に示すように、ＥＬシート１０には、電源が印加される端子と、電源が印加されたときに発光する発光面１１とがある。
図３に示すように、印刷回路基板２０は、複数個の単位回路と、ＥＬシートに電源を印加する電源印加部と、接地電極２１とを含んで構成される。
【０００４】
しかしながら、携帯電話のキーパッドを照明するためのＥＬは、既存のＬＣＤバックライトに用いられるＥＬとは異なって、多様なテストを通過しなければならない。それらテストの一つは、携帯電話の使用時に発生する静電気に耐えられる程度をテストする静電気防止（Ｅｌｅｃｔｒｏ  Ｓｔａｔｉｃ  Ｄｉｓｃｈａｒｇｅ、ＥＳＤ）耐性試験である。このテストをする理由は、携帯電話キーパッドの場合、持続的に人の手と接触して静電気の発生確率が非常に高いが、実際の静電気は、数十〜数万ボルトの高電圧及び数十万ヘルツの高周波を有する誘導電荷であって、携帯電話の内部回路に致命的な損傷を与えるためである。
【０００５】
静電気防止耐性試験は、高電圧、高周波成分を携帯電話ケースを通して内部のＥＬに加えることで進行されるが、このときに加えられた高電圧、高周波成分が、ＥＬ内部のバスバーを通して駆動回路側に放電されながらインバータ素子を破壊する。
したがって、携帯電話キーパッドを照明するためのＥＬの適正性テストをする過程で、携帯電話の内部回路が損傷するという問題点があった。
【発明の開示】
【発明が解決しようとする課題】
【０００６】
本発明が解決しようとする技術的課題は、携帯電話キーパッドの静電気防止耐性試験をするとき、電気的な衝撃から内部回路を保護できるＥＬシートキーパッドを提供することにある。
【課題を解決するための手段】
【０００７】
上記の技術的課題を達成するための本発明の一例によるＥＬシートキーパッドは、回路及び接地電極が形成された印刷回路基板と、該印刷回路基板に付着されるＥＬシートとを含んで構成されるＥＬシートキーパッドにおいて、前記ＥＬシートの非発光面または全体面にコーティングされ、伝導性テープまたは伝導性ペーストを用いて前記印刷回路基板の接地電極に連結される伝導性物質層がさらに備わることを特徴とする。
上記の技術的課題を達成するための本発明の他の例によるＥＬシートキーパッドは、印刷回路基板と、該印刷回路基板に付着され、駆動回路が接地電極に連結されるＥＬシートとを含んで構成されるＥＬシートキーパッドにおいて、前記ＥＬシートの非発光面または全体面にコーティングされ、伝導性テープまたは伝導性ペーストを用いて前記駆動回路に電源を供給する前面電極に連結される伝導性物質層がさらに備わることを特徴とする。
【０００８】
上述した各例において、前記伝導性物質層のパターンは、０．６mm以下の直径を有する空き空間がある網パターンであることを特徴とする。
【発明の効果】
【０００９】
上述した本発明によると、ＥＬシートに静電気防止層として伝導性物質コーティング層を形成することで、静電気防止耐性試験時に加えられた高電圧、高周波成分が、印刷回路基板の接地電極またはＥＬシートの駆動回路に連結された接地電極を通して放電されるので、ＥＬの適正性テストをする過程で発生する携帯電話の内部回路の損傷を防止できる。
また、外部静電気の衝撃に対して安定的なＥＬシートキーパッドを実現できる。特に、外部静電気の衝撃及び電磁波遮蔽機能を有するＥＬシートキーパッドを製造できる。
【発明を実施するための最良の形態】
【００１０】
以下、添付の図面に基づいて、本発明の好ましい実施の形態を説明する。
図４は、本発明の実施形態に係るＥＬシートキーパッドを説明するための概略図である。
図４に示すように、本発明の実施形態に係るＥＬシートキーパッドは、従来と同様に、ＥＬシート１０及び印刷回路基板２０を含んで構成される。
このとき、ＥＬシート１０の非発光面または全体面には、伝導性物質がコーティングされる。伝導性物質コーティング層３０は、銀を含む金属粉末が含まれた伝導性物質をスクリーンプリンティングなどの方法で非発光面に印刷したり、ＥＬシートの全体表面に透明な伝導性物質をスクリーンプリンティングなどの方法で印刷することで形成される。
上記のように設けられた伝導性物質コーティング層３０は、伝導性テープ４０または伝導性ペーストなどの伝導性粘着基剤を通して印刷回路基板２０の接地電極２１に連結される。
【００１１】
一方、必要によっては、ＥＬシートの駆動回路が接地電極に連結されることもある。この場合、ＥＬシートの駆動回路に連結され、その駆動回路に電源を供給するＥＬシートの前面電極には、上述した伝導性物質コーティング層を連結しても良い。
したがって、静電気防止耐性試験時に加えられた高電圧、高周波成分は、ＥＬシート１０内部のバスバーでない、印刷回路基板２０の接地電極２１またはＥＬシートの駆動回路に連結された接地電極を通して放電されるので、ＥＬの適正性テストをする過程で発生する携帯電話の内部回路の損傷を防止できる。
【００１２】
本発明を実現するにおいて、伝導性物質コーティング層３０は、安定的な等電位面を形成するために低い抵抗値を有するべきである。すなわち、伝導性物質コーティング層３０の設計時に携帯電話の内部周波数及び回路に影響を与えずに、安定的な電位を形成するように考慮すべきである。したがって、伝導性物質コーティング層３０の抵抗値は、１０Ω以下であると効果的であるが、静電気防止のみならず、電磁波保護機能と関連した全てのテストを通過するためには、抵抗が２Ω以下であることが好ましい。このために、伝導性物質コーティング層３０のパターンは、０.６mm以下の直径を有する空き空間がある網パターンで形成したり、ＥＬシート１０の全体面にコーティングする形態で形成する。
本発明は、上記の実施形態によって限定されるものではなく、本発明の技術的思想内で、当分野で通常の知識を有する者によって多様に変形可能である。
【図面の簡単な説明】
【００１３】
【図１】従来のＥＬシートキーパッドの一例として、メタルドームまたはポリドームを用いたＥＬシートキーパッドを示す概略図である。
【図２】従来の一般的なＥＬシートキーパッドに用いられるＥＬシートを示す概略図である。
【図３】従来の一般的なＥＬシートキーパッドに用いられる印刷回路基板を示す概略図である。
【図４】本発明の実施形態に係るＥＬシートキーパッドを説明するための概略図である。
【図１】
2007536778.tif 000003
【図２】
2007536778.tif 000004
【図３】
2007536778.tif 000005
【図４】
2007536778.tif 000006
【国際調査報告】
2007536778.tif 000007
2007536778.tif 000008